(57)【要約】【課題】  本発明は、フロント側ユニットでリアスピーカのボリューム調整を行っても、無線伝送時の残留ノイズの影響を低減させることができるサラウンドシステムを提供することを課題とする。【解決手段】  Ａ／Ｄ変換部１８は、ボリューム調整が行われていないリア側アナログオーディオ信号４０をリア側デジタルオーディオ信号に変換して音量制御信号付加処理部１９に出力する。音量制御信号付加処理部１９は、リア側デジタルオーディオ信号に音量制御信号を付加したリアスピーカ用伝送信号を伝送部２０に出力し、伝送部２０は、リアスピーカ用伝送信号をリア側ユニット２に向けて無線伝送する。リア側ユニット２では、リアスピーカ用伝送信号から抽出した音量制御信号に基づいてリアスピーカ用伝送信号からから復調したリア側アナログオーディオ信号のボリューム調整を行う。【選択図】        図１
2005260755.tif 000002
【特許請求の範囲】
【請求項１】
第１スピーカおよび第２スピーカから出力されることを想定されたオーディオ信号を再生するオーディオ信号再生手段と、
音量レベルを設定するボリューム設定手段と、
前記音量レベルに応じた音量制御信号を出力する音量制御信号出力手段と、
該音量制御信号出力手段から出力された前記音量制御信号に基づいて前記第１スピーカから出力される前記オーディオ信号のレベルを調整する第１オーディオ信号レベル調整手段と、
前記オーディオ信号と前記音量制御信号とを第２スピーカ用伝送信号として伝送する伝送手段と、
該伝送手段からの前記第２スピーカ用伝送信号を受信する受信手段と、
該受信手段によって受信された前記第２スピーカ用伝送信号から前記音量制御信号を抽出する音量制御信号抽出手段と、
該音量制御信号抽出手段によって抽出された前記音量制御信号に基づいて前記第２スピーカから出力される前記オーディオ信号のレベルを調整する第２オーディオ信号レベル調整手段と、を具備し、
該第２オーディオ信号レベル調整手段によって前記第２スピーカ用伝送信号の伝送時に加わる残留ノイズのレベルを前記音量制御信号に基づいて前記オーディオ信号のレベルと共に調整させ、伝送時の残留ノイズの影響を低減させることを特徴とするサラウンドシステム。
【請求項２】
前記伝送手段は、前記第２スピーカ用伝送信号を無線伝送させることを特徴とする請求項１記載のサラウンドシステム。
【請求項３】
前記オーディオ信号に前記音量制御信号を付加したシリアルデジタル信号を生成する音量制御信号付加処理手段を具備し、
前記伝送手段は、前記音量制御信号付加処理手段によって生成された前記シリアルデジタル信号を前記第２スピーカ用伝送信号として伝送させることを特徴とする請求項１又は２記載のサラウンドシステム。
【請求項４】
前記伝送手段は、前記オーディオ信号再生手段によって再生された前記オーディオ信号をフルレンジもしくは略フルレンジで伝送させることを特徴とする請求項１乃至３のいずれかに記載のサラウンドシステム。
【請求項５】
前記第１スピーカおよび前記第２スピーカは、それぞれフロントスピーカおよびリアスピーカであり、
前記フロントスピーカおよび前記リアスピーカから出力される前記オーディオ信号のレベルを前記ボリューム設定手段による前記音量レベルの設定に同期させることを特徴とする請求項１乃至４のいずれかに記載のサラウンドシステム。
【発明の詳細な説明】
【技術分野】
【０００１】
本発明は、オーディオ機器、テレビジョン受像機等の音声再生装置において再生されたオーディオ信号をフロントスピーカとリアスピーカとから出力するサラウンドシステムに関し、特に音声再生装置において再生されたオーディオ信号をリアスピーカに無線伝送するサラウンドシステムに関する。
【背景技術】
【０００２】
ドルビーサラウンドやマトリクスサラウンド等の音響上の効果を得るためにフロントスピーカから離れた位置にリアスピーカを配するサラウンドシステムにおいては、フロントスピーカを駆動するフロント側ユニットからリアスピーカにスピーカコードを配線する必要があり、当該スピーカコードが生活の邪魔になったり、部屋の美観を損ねたりするという欠点が存在していた。
【０００３】
そこで、フロント側ユニットからリアスピーカを駆動するリア側ユニットにオーディオ信号を無線伝送することで、フロント側ユニットとリアスピーカとの間のスピーカコードをなくし、フロント側ユニットとリアスピーカとをワイヤレスで接続するサラウンドシステムが提案されている。
【０００４】
このようにフロント側ユニットとリアスピーカとをワイヤレスで接続するシステムにおいて、リアスピーカのボリュームを調整する方法としては、リア側ユニットに機械式ボリューム又は電子ボリュームを設けてリア側ユニットで調整する方法と、フロント側ユニットでボリュームを調整したオーディオ信号をリア側ユニットに無線伝送する方法とが考えられる。
【０００５】
しかしながら、リア側ユニットで調整する方法では、フロントスピーカのボリュームに応じて、ユーザが手動にてリア側ユニットのボリューム調整の操作を行う必要があるため、使い勝手が悪いという問題点があった。
【０００６】
また、フロント側ユニットでボリュームを調整したオーディオ信号をリア側ユニットに無線伝送する方法では、フロント側ユニットでフロントスピーカおよびリアスピーカのボリューム調整の操作を一括して行うことができるため、使い勝手が良いが、オーディオ信号を無線伝送するに際しては、フロント側ユニットでオーディオ信号をデジタル信号に変換して無線伝送し、リア側ユニットで受信したデジタル信号をアナログ信号に変換するため、Ａ／Ｄ変換時およびＤ／Ａ変換時の残留ノイズがボリューム調整されたオーディオ信号に加わってしまう。
【０００７】
例えば、図５に示すように、Ｓ／Ｎが１００ｄＢである再生時のオーディオ信号が無線伝送時に加わる残留ノイズによって、リアスピーカで出力する際には、Ｓ／Ｎが８０ｄＢになってしまうシステムにおいて、無線伝送時前にボリュームを絞ってオーディオ信号のレベルを５０ｄＢ下げた場合には、レベルを下げたオーディオ信号に無線伝送時の残留ノイズが加わるため、リアスピーカで出力する際には、Ｓ／Ｎが３０ｄＢに悪化してしまう。このようにボリュームを絞る程、リアスピーカで出力する際のＳ／Ｎが悪化し、夜間等の静かな環境で聴取する際にはリアスピーカから残留ノイズが聞こえてしまうという問題点があった。
【０００８】
ちなみに、特許文献１には、センタスピーカ装置において、本体装置から赤外線信号を受信し、受信した赤外線信号をアナログオーディオ信号とボリュームコントロール信号とにデコードし、アナログオーディオ信号をボリュームコントロール信号に基づいてボリューム調整する車載ステレオ装置が開示されているが、赤外線信号に付加されているボリュームコントロール信号が何に基づいて設定されているのかが何ら開示されていない。
【特許文献１】特開２００２−６４８９６号公報
【発明の開示】
【発明が解決しようとする課題】
【０００９】
本発明は斯かる問題点を鑑みてなされたものであり、その目的とするところは、フロント側ユニットでリアスピーカのボリューム調整を行っても、Ｓ／Ｎが悪化することがなく、無線伝送時の残留ノイズの影響を低減させることができるサラウンドシステムを提供する点にある。
【課題を解決するための手段】
【００１０】
本発明は上記課題を解決すべく、以下に掲げる構成とした。
本発明のサラウンドシステムは、第１スピーカおよび第２スピーカから出力されることを想定されたオーディオ信号を再生するオーディオ信号再生手段と、音量レベルを設定するボリューム設定手段と、前記音量レベルに応じた音量制御信号を出力する音量制御信号出力手段と、該音量制御信号出力手段から出力された前記音量制御信号に基づいて前記第１スピーカから出力される前記オーディオ信号のレベルを調整する第１オーディオ信号レベル調整手段と、前記オーディオ信号と前記音量制御信号とを第２スピーカ用伝送信号として伝送する伝送手段と、該伝送手段からの前記第２スピーカ用伝送信号を受信する受信手段と、該受信手段によって受信された前記第２スピーカ用伝送信号から前記音量制御信号を抽出する音量制御信号抽出手段と、該音量制御信号抽出手段によって抽出された前記音量制御信号に基づいて前記第２スピーカから出力される前記オーディオ信号のレベルを調整する第２オーディオ信号レベル調整手段と、を具備し、該第２オーディオ信号レベル調整手段によって前記第２スピーカ用伝送信号の伝送時に加わる残留ノイズのレベルを前記音量制御信号に基づいて前記オーディオ信号のレベルと共に調整させ、伝送時の残留ノイズの影響を低減させることを特徴とする。
【００１１】
さらに、本発明のサラウンドシステムは、前記伝送手段は、前記第２スピーカ用伝送信号を無線伝送させることを特徴とする。
【００１２】
さらに、本発明のサラウンドシステムは、前記オーディオ信号に前記音量制御信号を付加したシリアルデジタル信号を生成する音量制御信号付加処理手段を具備し、前記伝送手段は、前記音量制御信号付加処理手段によって生成された前記シリアルデジタル信号を前記第２スピーカ用伝送信号として伝送させることを特徴とする。
【００１３】
さらに、本発明のサラウンドシステムは、前記伝送手段は、前記オーディオ信号再生手段によって再生された前記オーディオ信号をフルレンジもしくは略フルレンジで伝送させることを特徴とする。
【００１４】
さらに、本発明のサラウンドシステムは、前記第１スピーカおよび前記第２スピーカは、それぞれフロントスピーカおよびリアスピーカであり、前記フロントスピーカおよび前記リアスピーカから出力される前記オーディオ信号のレベルを前記ボリューム設定手段による前記音量レベルの設定に同期させることを特徴とする。
【発明の効果】
【００１５】
本発明のサラウンドシステムは、ボリューム調整されていないフルレンジもしくは略フルレンジのリア側アナログオーディオ信号と、音量制御信号とに基づくリアスピーカ用伝送信号をフロント側ユニットからリア側ユニットに無線伝送し、リア側ユニットでボリューム調整されていないリア側アナログオーディオ信号を音量制御信号に基づいてボリューム調整するように構成することにより、フロント側ユニットでリアスピーカのボリューム調整を行っても、伝送時の残留ノイズは、ボリューム調整されていないリア側アナログオーディオ信号に対して加わることになるため、ボリュームを絞ってもリアスピーカで出力する際のＳ／Ｎが悪化することなく、夜間等の静かな環境で聴取する際にもリアスピーカから残留ノイズが聞こえることがないという効果を奏する。
【発明を実施するための最良の形態】
【００１６】
以下、本発明の実施の形態を図面に基づいて詳細に説明する。
図１は、本発明に係るサラウンドシステムの実施の形態のフロント側ユニットの構成を示すブロック図であり、図２は、本発明に係るサラウンドシステムの実施の形態のリア側ユニットの構成を示すブロック図であり、図３は、図１に示す音量制御信号付加処理部から出力されるリアスピーカ用伝送信号例を示す図であり、図４は、本発明に係るサラウンドシステムの実施の形態における伝送時の残留ノイズの影響を説明するための説明図である。
【００１７】
本実施の形態のサラウンドシステムは、５．１ｃｈサラウンドシステムであり、図１および図２を参照すると、フロント側ユニット１によってフロントスピーカ１１である左右のフロントスピーカ、センタスピーカおよびサブウーハを駆動し、リア側ユニット２によってリアスピーカ２１である左右のリアスピーカを駆動する構成になっている。
【００１８】
フロント側ユニット１は、図１を参照すると、オーディオ信号再生部１２と、フロント側アナログ信号レベル調整部１３（以下、Ｆ側電子ボリューム１３と称す）と、アンプ１４と、ボリューム設定部１５と、音量制御信号生成部１６と、音量制御信号出力部１７と、Ａ／Ｄ変換部１８と、音量制御信号付加処理部１９と、伝送部２０とからなる。
【００１９】
オーディオ信号再生部１２は、音響記録媒体であるＤＶＤからデジタルオーディオ信号を再生するＤＶＤ再生部１２１と、ＤＶＤ再生部１２１によって再生されたデジタルオーディオ信号を左右のフロント出力信号、センタ出力信号、サブウーハ出力信号および左右のリア出力信号に分配するオーディオ信号分配部１２２と、オーディオ信号分配部１２２によって分配された左右のフロント出力信号、センタ出力信号、サブウーハ出力信号および左右のリア出力信号をそれぞれアナログ信号に変換するＤ／Ａ変換部１２３とからなり、アナログ信号に変換された左右のフロント出力信号、センタ出力信号およびサブウーハ出力信号をフロント側アナログオーディオ信号３０としてＦ側電子ボリューム１３に出力すると共に、アナログ信号に変換された左右のリア出力信号をリア側アナログオーディオ信号４０としてＡ／Ｄ変換部１８に出力する。
【００２０】
ボリューム設定部１５は、フロントスピーカ１１およびリアスピーカ２１から出力されるオーディオ信号の音量レベル、すなわちボリュームを設定するダイヤルやアップダウンスイッチである。
【００２１】
音量制御信号生成部１６は、ボリューム設定部１５によって設定されたオーディオ信号の音量レベル、すなわちボリュームに応じた音量制御信号を生成し、音量制御信号生成部１６によって生成された音量制御信号は、音量制御信号出力部１７によってＦ側電子ボリューム１３および音量制御信号付加処理部１９に出力される。
【００２２】
Ｆ側電子ボリューム１３は、音量制御信号出力部１７からの音量制御信号に基づいてオーディオ信号再生部１２からのフロント側アナログオーディオ信号３０のボリュームを調整し、Ｆ側電子ボリューム１３においてボリューム調整されたフロント側アナログオーディオ信号３０は、アンプ１４で増幅され、フロントスピーカ１１からそれぞれ出力される。
【００２３】
Ａ／Ｄ変換部１８には、ボリューム調整が行われていないリア側アナログオーディオ信号４０が入力され、Ａ／Ｄ変換部１８は、入力されたリア側アナログオーディオ信号４０をデジタル信号に変換し、リア側デジタルオーディオ信号として音量制御信号付加処理部１９に出力する。
【００２４】
音量制御信号付加処理部１９には、Ｆ側電子ボリューム１３を制御する音量制御信号がボリューム設定部１５から入力されており、音量制御信号付加処理部１９は、Ａ／Ｄ変換部１８から入力されたリア側デジタルオーディオ信号にボリューム設定部１５から入力された音量制御信号を付加したリアスピーカ用伝送信号を生成し、生成したリアスピーカ用伝送信号を伝送部２０に出力する。
【００２５】
なお、音量制御信号付加処理部１９からのリアスピーカ用伝送信号は、例えば、図３に示すような１６bitシリアルデータであり、最初の１bitにボリューム設定部１５からの音量制御信号が付加され、その他の１５bitがリア側デジタルオーディオ信号を構成している。また、本実施の形態では、Ａ／Ｄ変換後のリア側デジタルオーディオ信号に音量制御信号を付加する構成としたが、リア側アナログオーディオ信号をデジタル信号に変換するＡ／Ｄ変換時に音量制御信号を付加する構成としても良い。
【００２６】
伝送部２０は、無線エンコーダ部２０１と、無線送信部２０２とからなり、無線エンコーダ部２０１は、音量制御信号付加処理部１９からのリアスピーカ用伝送信号により搬送波信号を変調し、無線送信部２０２は、無線エンコーダ部２０１によって変調された搬送波信号を増幅してリア側ユニット２に向けて無線伝送する。
【００２７】
リア側ユニット２は、図２を参照すると、受信部２２と、音量制御信号抽出部２３と、Ｄ／Ａ変換部２４と、リア側アナログ信号レベル調整部２５（以下、Ｒ側電子ボリューム２５と称す）と、音量制御信号出力部２６と、アンプ２７とからなる。
【００２８】
受信部２２は、無線受信部２２１と、無線デコーダ部２２２とからなり、無線受信部２２１は、フロント側ユニット１からの搬送波信号を受信し、無線デコーダ部２２２は、無線受信部２２１によって受信された搬送波信号をリアスピーカ用伝送信号に復調して、復調したリアスピーカ用伝送信号を音量制御信号抽出部２３に出力する。
【００２９】
音量制御信号抽出部２３は、受信部２２によって受信されたリアスピーカ用伝送信号から音量制御信号を抽出し、リア側デジタルオーディオ信号をＤ／Ａ変換部２４に出力すると共に、抽出した音量制御信号を音量制御信号出力部２６に出力する。
【００３０】
Ｄ／Ａ変換部２４は、音量制御信号抽出部２３から入力されたリア側デジタルオーディオ信号をリア側アナログオーディオ信号４０に復調し、復調したリア側アナログオーディオ信号４０をＲ側電子ボリューム２５に出力する。
【００３１】
音量制御信号出力部２６は、音量制御信号抽出部２３から入力された音量制御信号をＲ側電子ボリューム２５に出力し、Ｒ側電子ボリューム２５は、音量制御信号出力部２６から入力された音量制御信号に基づいてＤ／Ａ変換部２４から入力されたリア側アナログオーディオ信号４０のボリュームを調整し、Ｒ側電子ボリューム２５においてボリューム調整されたリア側アナログオーディオ信号４０は、アンプ２７で増幅され、リアスピーカ２１からそれぞれ出力される。
【００３２】
なお、本実施の形態では、リアスピーカ用伝送信号から音量制御信号を抽出した後にＤ／Ａ変換を行ってリア側アナログオーディオ信号に復調させるように構成したが、リアスピーカ用伝送信号をＤ／Ａ変換してリア側アナログオーディオ信号に復調させる時に音量制御信号を抽出するように構成しても良い。
【００３３】
また、本実施の形態では、ＤＶＤ再生部１２１によって再生されたデジタルオーディオ信号である左右のリア出力信号（リア側デジタルオーディオ信号）を、Ｄ／Ａ変換部１２３によってアナログ信号（リア側アナログオーディオ信号４０）に変換し、さらにＡ／Ｄ変換部１８によってデジタル信号（リア側デジタルオーディオ信号）に変換するように構成したが、Ｄ／Ａ変換部１２３およびＡ／Ｄ変換部１８を省略して、ＤＶＤ再生部１２１によって再生されたデジタルオーディオ信号である左右のリア出力信号（リア側デジタルオーディオ信号）を音量制御信号付加処理部１９に直接入力するように構成しても良い。
【００３４】
以上説明したように、本実施の形態によれば、ボリューム調整されていないフルレンジもしくは略フルレンジのリア側アナログオーディオ信号４０と、音量制御信号とに基づくリアスピーカ用伝送信号をフロント側ユニット１からリア側ユニット２に無線伝送し、リア側ユニット２でボリューム調整されていないリア側アナログオーディオ信号４０を音量制御信号に基づいてボリューム調整するように構成することにより、フロント側ユニット１でリアスピーカ２１のボリューム調整を行っても、伝送時の残留ノイズは、ボリューム調整されていないリア側アナログオーディオ信号４０に対して加わることになるため、ボリュームを絞ってもリアスピーカ２１で出力する際のＳ／Ｎが悪化することなく、夜間等の静かな環境で聴取する際にもリアスピーカ２１から残留ノイズが聞こえることがないという効果を奏する。
【００３５】
例えば、図４に示すように、Ｓ／Ｎが１００ｄＢである再生時のオーディオ信号が無線伝送時に加わる残留ノイズによって、リアスピーカ２１で出力する際には、Ｓ／Ｎが８０ｄＢになってしまうシステムに本実施の形態を適用し、リアスピーカ２１で出力するオーディオ信号のレベルを５０ｄＢ下げる場合には、オーディオ信号のレベルは、残留ノイズのレベルと共に、無線伝送時後、すなわちリア側ユニット２においてボリューム調整されることになり、オーディオ信号のレベル５０ｄＢ下げた場合には、残留ノイズのレベルも５０ｄＢ下がるため、ボリュームを絞ってもリアスピーカ２１で出力する際のＳ／Ｎは、常に８０ｄＢ確保することができる。
【００３６】
また、本実施の形態によれば、リアスピーカ２１で出力するオーディオ信号のレベルを絞った場合にも、リアスピーカ２１から残留ノイズが聞こえることがなく、夜間等に静かな環境においてボリュームを絞って楽曲等を聴取することができるため、近隣への音の影響を抑えることができ、環境にやさしいサラウンドシステムを提供することができる。
【００３７】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００３８】
【図１】本発明に係るサラウンドシステムの実施の形態のフロント側ユニットの構成を示すブロック図である。
【図２】本発明に係るサラウンドシステムの実施の形態のリア側ユニットの構成を示すブロック図である。
【図３】図１に示す音量制御信号付加処理部から出力されるリアスピーカ用伝送信号例を示す図である。
【図４】本発明に係るサラウンドシステムの実施の形態における伝送時の残留ノイズの影響を説明するための説明図である。
【図５】従来のサラウンドシステムにおける伝送時の残留ノイズの影響を説明するための説明図である。
【符号の説明】
【００３９】
１  フロント側ユニット
２  リア側ユニット
１１  フロントスピーカ（第１スピーカ）
１２  オーディオ信号再生部
１３  Ｆ側電子ボリューム（第１オーディオ信号レベル調整部）
１４  アンプ
１５  ボリューム設定部
１６  音量制御信号生成部
１７  音量制御信号出力部
１８  Ａ／Ｄ変換部
１９  音量制御信号付加処理部
２０  伝送部
２１  リアスピーカ（第２スピーカ）
２２  受信部
２３  音量制御信号抽出部
２４  Ｄ／Ａ変換部
２５  Ｒ側電子ボリューム（第２オーディオ信号レベル調整部）
２６  音量制御信号出力部
２７  アンプ
３０  フロント側アナログオーディオ信号
４０  リア側アナログオーディオ信号
１２１  ＤＶＤ再生部
１２２  オーディオ信号分配部
１２３  Ｄ／Ａ変換部
２０１  無線エンコーダ部
２０２  無線送信部
２２１  無線受信部
２２２  無線デコーダ部
【図１】
2005260755.tif 000003
【図２】
2005260755.tif 000004
【図３】
2005260755.tif 000005
【図４】
2005260755.tif 000006
【図５】
2005260755.tif 000007